(57)【特許請求の範囲】
【請求項１】
着座部を有する着座部材と、該着座部材に接合される底壁部材と、前記着座部材の前記
着座部の裏側に設けられた便座加熱手段と、該便座加熱手段を介して前記着座部材を支持
する荷重支持部を有し前記着座部材及び前記底壁部材の間に形成される中空空間内にある
支持体とを備えている暖房便座であって、
前記便座加熱手段が、自らの発熱により前記着座部材を加熱する線状発熱体と、該線状
発熱体と異なる位置に前記荷重支持部と離間対向するスペーサーと、前記着座部材と当接し前記線状発熱体及び前記スペーサーが敷設される熱拡散シートと、該熱拡散シートとの間で前記線状発熱体及び前記スペーサーを挟持する固定シートとを有し、
前記着座部材が前記底壁部材に向かって撓む方向における前記スペーサーと前記荷重支
持部との距離が、前記線状発熱体と前記荷重支持部との距離より小さいことを特徴とする
暖房便座。
【請求項２】
前記スペーサーの高さが、前記線状発熱体の厚みより大きく、
前記スペーサーの幅が、前記荷重支持部の幅より大きいことを特徴とする請求項１に記
載の暖房便座。
【発明の詳細な説明】
【技術分野】
【０００１】
本発明は、内部に支持体を有する暖房便座に関する。
【背景技術】
【０００２】
従来、便座表面を形成する着座部材と、便座底面を形成する底壁部材の２部材から構成される便座を有し、着座部材の着座部の裏面に熱源となるヒーターが貼り付けられた暖房便座が知られている。
【０００３】
このような暖房便座では、使用者が便座に着座することによる荷重に耐えられるように、着座部材及び底壁部材の肉厚を設計されている。
【０００４】
しかしながら、上記のような肉厚をもつ暖房便座では、ヒーターの熱が着座部材の表面に伝達されるまでにかなりの時間を要していた。
その結果、暖房便座への常時通電が求められており、暖房便座を使用していないときにも無駄な電力を消費していた。
【０００５】
そこで、着座部材の肉厚を薄肉化することで、ヒーターの熱を着座部材の表面への熱伝導を短時間で伝達し、暖房便座の無駄な電力消費を抑制していた。
しかしながら、着座部材の肉厚を薄くすると、使用者の着座による荷重に対する便座の強度が低下してしまうという問題があった。
【０００６】
このような問題を解決するために、着座部材と底壁部材との間に設けられ、着座部材の下面に着座部材と離間対向する荷重支持体を有した荷重受け部を備えた便座構造がある（例えば、特許文献１参照。）。
【先行技術文献】
【特許文献】
【０００７】
【特許文献１】特開２０１３−２３６６５３号公報
【発明の概要】
【発明が解決しようとする課題】
【０００８】
このような特許文献１に記載されている便座構造は、ヒーターと荷重支持体が直接離間対向していることにより、使用者が着座した際にその荷重により着座部材が撓み、ヒーターと荷重支持体が接触してしまうため、ヒーターが断線してしまい暖房便座として機能しなくなる恐れがあった。
【０００９】
そこで、本発明は、前述したような従来技術の問題を解決するものであって、すなわち、本発明の目的は、支持体の線状発熱体への当接による線状発熱体の断線を抑制する暖房便座を提供することである。
【課題を解決するための手段】
【００１０】
本請求項１に係る発明は、着座部を有する着座部材と、該着座部材に接合される底壁部材と、前記着座部材の前記着座部の裏側に設けられた便座加熱手段と、該便座加熱手段を介して前記着座部材を支持する荷重支持部を有し前記着座部材及び前記底壁部材の間に形成される中空空間内にある支持体とを備えている暖房便座であって、前記便座加熱手段が、自らの発熱により前記着座部材を加熱する線状発熱体と、該線状発熱体と異なる位置に前記荷重支持部と離間対向するスペーサーと、前記着座部材と当接し前記線状発熱体及び前記スペーサーが敷設される熱拡散シートと、該熱拡散シートとの間で前記線状発熱体及び前記スペーサーを挟持する固定シートとを有し、前記着座部材が前記底壁部材に向かって撓む方向における前記スペーサーと前記荷重支持部との距離が、前記線状発熱体と前記荷重支持部との距離より小さいことにより、前述した課題を解決するものである。
【００１１】
本発明の暖房便座は、便座加熱手段を介して着座部材を支持する荷重支持部を有し着座
部材及び底壁部材の間に形成される中空空間内にある支持体を備えていることにより、着座部への荷重により着座部が撓んで着座部材が便座加熱手段を介して支持体と当接する際に着座部にかかる荷重を荷重支持部が支持するため、暖房便座の強度を増すことができるばかりでなく、以下のような特有の効果を奏することができる。
【００１２】
すなわち、本請求項１に係る発明の暖房便座によれば、着座部材が底壁部材に向かって撓む方向におけるスペーサーと荷重支持部との距離が、線状発熱体と荷重支持部との距離より小さいことにより、着座部への荷重で着座部が撓んだときに荷重支持部がスペーサーと当接し、荷重支持部が線状発熱体と当接することを抑制するため、荷重支持部を備える支持体の線状発熱体への当接による線状発熱体の断線を抑制することができる。また、熱拡散シート及び固定シートが、線状発熱体及びスペーサーを挟持する。これにより、スペーサーの熱拡散シートからのはく離が抑制されると共にスペーサーが位置決めされるため、線状発熱体の断線をさらに抑制することができる。
【００１３】
本請求項２に係る発明は、請求項１に記載された暖房便座の構成に加えて、前記スペーサーの高さが、前記線状発熱体の厚みより大きく、前記スペーサーの幅が、前記荷重支持部の幅より大きいことにより、前述した課題を解決するものである。
【００１４】
本請求項２に係る発明の暖房便座によれば、請求項１に係る発明が奏する効果に加えて、スペーサーの高さが線状発熱体の厚みより大きく、スペーサーの幅が荷重支持部の幅より大きいことにより、多少の組み付け誤差があったとしても、スペーサーと荷重支持部が対向するため、組み付け誤差があったとしても荷重支持部を備える支持体の線状発熱体への当接による確実に線状発熱体の断線を抑制することができる。
【発明の効果】
【００１７】
本発明により、暖房便座の強度を増すことができるばかりでなく、荷重支持部を備える支持体の線状発熱体への当接による線状発熱体の断線を抑制することができる。
【図面の簡単な説明】
【００１８】
【図１】本発明の第１実施形態の暖房便座の外観斜視図。
【図２】図１のＡ−Ａ断面図。
【図３】図２の要部拡大図。
【図４】本発明の第１実施形態の線状発熱体とスペーサーの位置関係を示す上面図。
【図５】支持体と便座加熱手段とが接触した状態の図２の要部拡大図。
【図６】本発明の第１実施形態の第１変形例における線状発熱体とスペーサーの位置関係を示す図。
【図７】本発明の第１実施形態の第２変形例における線状発熱体とスペーサーの位置関係を示す図。
【発明を実施するための形態】
【００１９】
（第１実施形態）
以下に、本発明の第１実施形態である、暖房便座１００について、図１乃至図５に基づいて説明する。
【００２０】
図１は、本発明の第１実施形態の暖房便座１００の外観斜視図であり、使用者の臀部を暖める暖房便座１００は環状であり、大便器Ｔの前方に載置されている。
【００２１】
図２は、図１のＡ−Ａ断面図であり、暖房便座１００は着座部材１１０と底壁部材１２０とを備えている。
【００２２】
着座部材１１０は、使用者が着座する面を構成する着座部１１１と、この着座部１１１から滑らかに連続した着座部材１１０の側面を構成する側部（内周側の内周側部１１２および外周側の外周側部１１３）とを有しており、可撓性がある。
【００２３】
また、底壁部材１２０は、大便器Ｔと対向する底面部１２１と、内周側部１１２の底面に設けられたほぼ水平の内周側接合面１１２ａと対向する内周凸部１２２と、外周側部１１３に設けられたほぼ水平の外周側接合面１１３ａと対向する外周凸部１２３とを有している。
【００２４】
そして、内周側接合面１１２ａと内周凸部１２２、および外周側接合面１１３ａと外周凸部１２３がそれぞれ接合され、着座部材１１０と底壁部材１２０が接合されている。
これにより、着座部材１１０と底壁部材１２０と間に中空空間Ｖが形成されている。
【００２５】
さらに、着座部材１１０の着座部１１１の裏面にはそれ自体が発熱することで着座部１１１を介して使用者の臀部を加熱する便座加熱手段１３０が貼付されている。
【００２６】
さらに、中空空間Ｖ内には、使用者が着座していない際に便座加熱手段１３０と離間対向しており、使用者の着座等により着座部１１１が撓んだ際に便座加熱手段１３０と当接し着座部１１１にかかる荷重を支持する支持体１４０が設けられている。
【００２７】
支持部材１４０は、水平基部１４１と、複数の垂下部１４２（１４２ａ、１４２ｂ、１４２ｃ、１４２ｄ）と、荷重支持部１４３（荷重支持部１４３ａ、１４３ｂ）で構成されている。
【００２８】
水平基部１４１は、着座部１１１とほぼ平行に対向し着座部材１１０の内壁近傍まで延びる基部である。
【００２９】
複数の垂下部１４２（１４２ａ、１４２ｂ、１４２ｃ、１４２ｄ）は、この水平基部１４１から下方に垂れ下がり底壁部材１２０と当接する。
そして、垂下部１４２ａは水平基部１４１の最内周側から垂下しており、垂下部１４２ｄは水平基部１４１の最外周側から垂下している。
また、垂下部１４２ｂ、１４２ｃは垂下部１４２ａと垂下部１４２ｂの間で水平基部１４１から垂下しており、垂下部１４２ｂが垂下部１４２ｃより内周側に位置している。
【００３０】
荷重支持部１４３（１４３ａ、１４３ｂ）は、水平基部１４１から上方に立ち上がり使用者が着座していない際に便座加熱手段１３０と離間対向して便座加熱手段１３０に向かって上方に突出すると共に着座部材１１０からの荷重を支持する。
なお、着座部材１１０の変形により着座部１１１が撓み、着座部１１１が座加熱手段１３０を介して荷重支持部１４３と接触した場合には、荷重支持部１４３は着座部１１１にかかる荷重を支持する。
【００３１】
次に、便座加熱手段１３０の詳細な構成について、図３および図４により説明する。
図３は、使用者が着座していない際の図２の要部拡大図である。
【００３２】
便座加熱手段１３０は、線状の発熱体である線状発熱体１３１と、着座部１１１の裏側ほぼ全面に貼付されると共に線状発熱体１３１が敷設され、線状発熱体１３１が発した熱を着座部１１１の全域へと拡散する熱拡散シート１３３と、この熱拡散シート１３３と共に線状発熱体１３１を挟持する固定シート１３４とを備えている。
【００３３】
さらに、便座加熱手段１３０は、熱拡散シート１３３と固定シート１３４との間に、線状発熱体１３１の他に、断面形状が矩形のスペーサー１３２を荷重支持部１４３から距離ｄｓだけ上方にさらに備えている。
【００３４】
つまり、熱拡散シート１３３及び固定シート１３４が、線状発熱体１３１及び線状発熱体１３１と異なる位置にあるスペーサー１３２を挟持している。
これにより、スペーサー１３２の熱拡散シート１３３からのはく離が抑制されると共にスペーサー１３２が位置決めされる。
【００３５】
そして、スペーサー１３２の高さＨｓが線状発熱体１３１の厚みＨｈより大きく、スペーサー１３２の幅Ｗｓが荷重支持部１４３の幅Ｗより大きい。
これにより、多少の組み付け誤差があったとしても、スペーサー１３２と荷重支持部１４３が対向する。
【００３６】
図４は、図１の領域Ｄにおける、着座部材１１０および熱拡散シート１３３、固定シート１３４を除去して線状発熱体１３１とスペーサー１３２との配置関係を示した上面図である。
【００３７】
第１実施形態において、スペーサー１３２は暖房便座１００の周方向に沿って２本敷設されており、便座加熱手段１２０を三つの領域に分割している。
そして、各領域において、線状発熱体１３１は内外方向に繰り返し折り返して敷設されている。
これにより、各領域の加熱領域のばらつきが押さえられるため、使用者の着座位置による加熱のばらつきを低減することができる。
【００３８】
次に、使用者の着座等による着座部１１１への荷重Ｐにより着座部１１１が撓み、便座加熱手段１２０と支持体１４０とが当接している状態について説明する。
【００３９】
図５は使用者の着座等による着座部１１１への荷重Ｐにより着座部１１１が撓み、便座加熱手段１２０と支持体１４０とが当接している状態における図２の要部拡大図である。
【００４０】
使用者の着座等による着座部１１１への荷重Ｐにより着座部１１１が撓むと、スペーサー１３２は固定シート１３４を介して荷重支持部１４３と当接する。
【００４１】
つまり、暖房便座１００が便座加熱手段１２０を介して着座部材１１０を支持する荷重支持部１４３を有する支持体１４０を備えていることにより、着座部１１１への荷重Ｐで着座部１１１が撓んで着座部材１１０が便座加熱手段１２０を介して支持体１４０と当接する際に着座部１１１にかかる荷重Ｐを荷重支持部１４３が支持している。
【００４２】
すなわち、着座部材１１０と便座加熱手段１３０と支持体１４０と底壁部材１２０とがそれぞれ当接されるため、着座部１１１への荷重Ｐを暖房便座１００として受けることになり、暖房便座１００の耐荷重強度を増すことができる。
【００４３】
また、図３において、着座部材１１０が底壁部材１２０に向かって撓む方向におけるスペーサー１３２と荷重支持部１４３との距離ｄｓが、線状発熱体１３１と荷重支持部１４３との距離ｄｈより小さい。
これにより、図５のように着座部１１１への荷重Ｐにより着座部１１１が撓んだときに荷重支持部１４３がスペーサー１３２と当接し、荷重支持部１４３が線状発熱体１３１と当接することを抑制する。
【００４４】
（第１実施形態の第１変形例）
続いて、第１実施形態の第１変形例について説明する。
第１変形例は、スペーサー１３２と線状発熱体１３１の上面視における敷設位置を変えたものである。
図６は本発明の第１実施形態の第１変形例において、着座部材１１０および熱拡散シート１３３、固定シート１３４を除去して線状発熱体１３１とスペーサー１３２との配置関係を示した上面図である。
【００４５】
第１変形例においては、スペーサー１３２が荷重支持部１４３に沿って設けられているのではなく、各荷重支持部１４３の上には複数のスペーサー１３２が各荷重支持部１４３と交差すると共に前後方向に間隔をあけて配置されている。
さらに、各荷重支持部１４３の上に配置された複数のスペーサー１３２は、他の荷重支持部１４３上の複数のスペーサー１３２とは前後方向で重ならないように配置されている。
【００４６】
（第１実施形態の第２変形例）
続いて、第１実施形態の第２変形例について説明する。
第２変形例もスペーサー１３２と線状発熱体１３１の上面視における敷設位置を変えたものである。
図７は本発明の第１実施形態の第２変形例において、着座部材１１０および熱拡散シート１３３、固定シート１３４を除去して線状発熱体１３１とスペーサー１３２との配置関係を示した上面図である。
【００４７】
第２変形例においては、スペーサー１３２が荷重支持部１４３に沿って設けられているのではなく、スペーサー１３２は線状発熱体１３１と干渉しないように内外方向に繰り返し折り返して設けられていると共に、各荷重支持部１４３と一部で重なるように設けられている。
【００４８】
このようにして得られた本実施形態の暖房便座１００は、便座加熱手段１３０を介して着座部材１１０を支持する荷重支持部１４３を有し着座部材１１０及び底壁部材１２０の間に形成される中空空間Ｖ内にある支持体１４０を備えているため、暖房便座１００の強度を増すことができるばかりでなく、着座部材１１０が底壁部材１２０に向かって撓む方向におけるスペーサー１３２と荷重支持部１４３との距離ｄｓが、線状発熱体１３１と荷重支持部１４３との距離ｄｈより小さいため、荷重支持部１４３を備える支持体１４０の線状発熱体１３１への当接による線状発熱体１３１の断線を抑制することができる。
【００４９】
また、スペーサー１３２の高さＨｓが線状発熱体１３１の厚みＨｈより大きく、スペーサー１３２の幅Ｗｓが荷重支持部１４３の幅Ｗより大きいため、組み付け誤差があったとしても荷重支持部１４３を備える支持体１４０の線状発熱体１３１への当接による確実に線状発熱体１３１の断線を抑制することができる。
【００５０】
また、熱拡散シート１３３及び固定シート１３４が、線状発熱体１３１及びスペーサー１３２を挟持しているため、確実に線状発熱体１３１の断線を抑制することができる。
【００５１】
（変形例）
以上、本発明を実施するための形態について説明したが、本発明は上記に限定されるものではない。
本発明は、着座部を有する着座部材と、該着座部材に接合される底壁部材と、前記着座部材の前記着座部の裏側に設けられた便座加熱手段と、該便座加熱手段を介して前記着座部材を支持する荷重支持部を有し前記着座部材及び前記底壁部材の間に形成される中空空間内にある支持体とを備えている暖房便座であって、前記便座加熱手段が、自らの発熱により前記着座部材を加熱する線状発熱体と、該線状発熱体と異なる位置に前記荷重支持部と離間対向するスペーサーとを有し、前記着座部材が前記底壁部材に向かって撓む方向における前記スペーサーと前記荷重支持部との距離が、前記線状発熱体と前記荷重支持部との距離より小さいものであり、暖房便座の強度を増すことができるばかりでなく、荷重支持部を備える支持体の線状発熱体への当接による線状発熱体の断線を抑制することができるものであれば、その具体的な実施態様は、如何なるものであっても構わない。
【００５２】
また、暖房便座の外観を形成する着座部材および底壁部材の材質は、ポリプロピレン樹脂やＡＢＳ樹脂等の射出成型することが可能なものであれば、如何なるものであってもよい。
また、着座部材と底壁部材との材質は同じである必要はない。
【００５３】
また、着座部材と底壁部材の接合方法については、本実施形態では振動溶着を用いているが、接合方法が振動溶着に限定されるものではなく、たとえばスナップフィット（掛合）を用いてもよいし、着座部材と底壁部材との境界面に樹脂を充填させて両者を接合させてもよい。
【００５４】
また、熱拡散シートの材質は、アルミニウム、銅など熱伝導率が高く、成型性に優れているものであれば、如何なるものであっても構わない。
【００５５】
また、固定シートの材質については、難燃性の材質であれば如何なるものであってもよく、熱拡散シートと同じ材質であってもよい。
【００５６】
また、スペーサーの材質については、荷重支持部より軟らかいものであれば、如何なるものであっても構わない（たとえば、ＪＩＳ  Ｋ６２５３で規定される硬さが７０程度）。
【００５７】
そして、前述した各実施形態が備える各要素は、技術的に可能である限り組み合わせることができ、これらを組み合わせたものも本発明の特徴を含む限り本発明の範囲に包含される。
【符号の説明】
【００５８】
１００  ・・・  暖房便座
１１０  ・・・  着座部材
１１１  ・・・  着座部
１１２  ・・・  内周側部
１１２ａ・・・  内周側接合面
１１３  ・・・  外周側部
１１３ａ・・・  外周側接合面
１２０  ・・・  底壁部材
１２１  ・・・  底面部
１２２  ・・・  内周凸部
１２３  ・・・  外周凸部
１３０  ・・・  便座加熱手段
１３１  ・・・  線状発熱体
１３２  ・・・  スペーサー
１３３  ・・・  熱拡散シート
１３４  ・・・  固定シート
１４０  ・・・  支持体
１４１  ・・・  水平基部
１４２  ・・・  垂下部
１４３  ・・・  荷重支持部
Ｔ    ・・・  大便器
Ｖ    ・・・  中空空間
Ｐ    ・・・  荷重
ｄｈ  ・・・  線状発熱体と荷重支持部との距離
ｄｓ  ・・・  スペーサーと荷重支持部との距離
Ｈｈ  ・・・  線状発熱体の厚み
Ｈｓ  ・・・  スペーサーの高さ
Ｗｓ  ・・・  スペーサーの幅
Ｗ    ・・・  荷重支持部の幅
【図１】
0006395103.tif 000002
【図２】
0006395103.tif 000003
【図３】
0006395103.tif 000004
【図４】
0006395103.tif 000005
【図５】
0006395103.tif 000006
【図６】
0006395103.tif 000007
【図７】
0006395103.tif 000008